(57)【要約】【課題】天井裏空間での結露の発生を抑制可能とした空調換気システムを提供する。【解決手段】室内空間２と天井裏空間３とが天井部を介して区画された空間の換気システムにおいて、天井裏空間３に設置された給気ダクト１１であって、外部空間から取り込んだ外気を室内空間２に供給する給気ダクト１１と、冷媒管１２ａが天井裏空間３に延在された第１空調機１２であって、室内空間２に対して空調風を供給する第１空調機１２と、室内空間２の室内空気を天井裏空間３に排気する第１排気ファン１３と、天井裏空間３の天井裏空気を外部空間に排気する第２排気ファン１４とを備える。第１排気ファン１３は、排気ダクト１７の端部に設置される。室内空間２は、共用部空間５と各個室空間６とに区画され、共用部空間５と各個室空間６とは、一巻きされ状態で設置された接続ダクト１６で接続されている。【選択図】図２
2020134015.tif 000002
【特許請求の範囲】
【請求項１】
室内空間と天井裏空間とが天井部を介して区画された空間の空調換気システムにおいて、
前記天井裏空間に設置された給気ダクトであって、外部空間から取り込んだ外気を前記室内空間に供給する前記給気ダクトと、
冷媒管が前記天井裏空間に延在された空調機であって、前記室内空間に対して空調風を供給する前記空調機と、
前記室内空間の室内空気を前記天井裏空間に排気する第１排気ファンと、
前記天井裏空間の天井裏空気を前記外部空間に排気する第２排気ファンと
を備える空調換気システム。
【請求項２】
前記第１排気ファンが設置される排気ダクトを備え、
前記排気ダクトは、消音ダクトであって、前記天井裏空間に設置されるとともに、一端部が前記室内空間に臨む吸込口に接続され、かつ、前記他端部に前記第１排気ファンが設置されている
請求項１に記載の空調換気システム。
【請求項３】
前記室内空間は、壁部によって、第１空間と、前記第１空間よりも狭い複数の第２空間とに区画されており、
前記第１空間と前記各第２空間とは、接続ダクトによって連通しており、
前記給気ダクトは、前記第１空間に対して前記外気を供給し、
前記空調機は、前記第１空間に対して前記空調風を供給し、
前記第１排気ファンは、前記各第２空間の室内空気を前記天井裏空間に排気する
請求項１または２に記載の空調換気システム。
【請求項４】
前記接続ダクトは、前記天井裏空間において、一巻き以上巻かれた状態で設置されている
請求項３に記載の空調換気システム。
【請求項５】
前記空調機は、前記第１空間に前記空調風として第１空調風を供給する第１空調機であって、
前記空調換気システムは、さらに第２空調機を備え、
前記第２空調機は、複数の前記第２空間に前記第１空調風とは異なる温度の第２空調風を供給する
請求項３または４に記載の空調換気システム。
【請求項６】
前記各第２空間は、床面と前記天井部との間の壁面に前記第２空調風の風量調整可能な吹出グリルを備えている
請求項５に記載の空調換気システム。
【発明の詳細な説明】
【技術分野】
【０００１】
本発明は、室内空間および天井裏空間の換気を行う空調換気システムに関する。
【背景技術】
【０００２】
店舗の空調換気システムは、例えば天井埋込型の空調機を備え、空調機が室内空間に臨む吸込口より室内空気を取り込み、空調風を吸込口周囲の吹出口から吹き出すように構成されている。また、給気ファンと排気ファンを備え、給気ファンによって外気を室内に取り込み、排気ファンによって室内空気を屋外に排気するように構成されている。天井部で室内空間と区画された天井裏空間は、空調機と屋外に設置された室外機とを接続する冷媒管が延在されている。この種の空調換気システムにおいては、冷房時に、冷媒管に結露が発生し、結露が冷媒管から滴ることで天井部が汚損してしまうことが知られている。そこで、このような結露を抑えるために、天井裏空間に換気口を設け、ファンによって、天井裏空間を換気することが行われている。
【０００３】
また、例えば特許文献１では、天井裏空間に空調機を設置し、外気を熱交換した空調風を供給ダクトを通じて室内空間に供給し、さらに、室内空間の空気を天井裏空間に戻し、その一部を空調機に供給するとともに外部空間に排気ファンで排気するようにしている。通常の冷房運転を開始する前には、空調風を室内空間に供給ダクトを介さず供給し、室内空間の空気を天井裏空間に戻すことで、天井裏空間における供給ダクトの周辺の温度を冷やすようにしている。これにより、その後の空調風を供給ダクトに供給する通常の冷房運転時において、供給ダクトにおける結露の発生を抑えるようにしている。
【先行技術文献】
【特許文献】
【０００４】
【特許文献１】特許第２９８４７３７号公報
【発明の概要】
【発明が解決しようとする課題】
【０００５】
以上のように、空調換気システムでは、天井裏空間において一層結露を発生しにくくするために、天井裏空間の換気効率を一層高めることが望まれる。
【課題を解決するための手段】
【０００６】
上記課題を解決するための空調換気システムは、室内空間と天井裏空間とが天井部を介して区画された空間の空調換気システムにおいて、前記天井裏空間に設置された給気ダクトであって、外部空間から取り込んだ外気を前記室内空間に供給する前記給気ダクトと、冷媒管が前記天井裏空間に延在された空調機であって、前記室内空間に対して空調風を供給する前記空調機と、前記室内空間の室内空気を前記天井裏空間に排気する第１排気ファンと、前記天井裏空間の天井裏空気を前記外部空間に排気する第２排気ファンとを備える。
【０００７】
上記構成によれば、室内空間の室内空気は、第１排気ファンが動作していることで、天井裏空間に排気され、天井裏空間の天井裏空気は、第２排気ファンから外部空間に排気される。これにより、天井裏空間における換気効率が高められている。したがって、室内空間と天井裏空間との温度や湿度の環境が近づき、空調機の冷媒管における結露を発生しにくくできる。
【０００８】
上記空調換気システムにおいて、前記第１排気ファンが設置される排気ダクトを備え、
前記排気ダクトは、消音ダクトであって、前記天井裏空間に設置されるとともに、一端部が前記室内空間に臨む吸込口に接続され、かつ、前記他端部に前記第１排気ファンが設置されているようにしてもよい。
【０００９】
上記構成によれば、第１排気ファンは、消音ダクトで構成された排気ダクトの端部に設けられている。したがって、第１排気ファンの動作音が室内空間に伝わりにくくなる。これにより、第１排気ファンには、より換気性能の高いファンを使用することができ、結果として、天井裏空間の換気効率も高まり、より冷媒管の結露を発生しにくくできる。
【００１０】
上記空調換気システムにおいて、前記室内空間は、壁部によって、第１空間と、前記第１空間よりも狭い複数の第２空間とに区画されており、前記第１空間と前記各第２空間とは、接続ダクトによって連通しており、前記給気ダクトは、前記第１空間に対して前記外気を供給し、前記空調機は、前記第１空間に対して前記空調風を供給し、前記第１排気ファンは、前記各第２空間の室内空気を前記天井裏空間に排気するようにしてもよい。
【００１１】
上記構成によれば、室内空間を第１空間と第２空間とに区画した場合にも、接続ダクト１６を通じて空調機によって空調された第１空間の室内空気を第２空間に供給することができる。したがって、第１空間と第２空間との温度差を小さくすることができる。そして、第２空間の室内空気を天井裏空間に排気することができる。
【００１２】
上記空調換気システムにおいて、前記接続ダクトは、前記天井裏空間において、一巻き以上巻かれた状態で設置されているようにしてもよい。上記構成によれば、接続ダクトが巻かれた状態で設置されているので、第１空間と第２空間との間で音が伝わりにくくなる。
【００１３】
上記空調換気システムにおいて、前記空調機は、前記第１空間に前記空調風として第１空調風を供給する第１空調機であって、前記空調換気システムは、さらに第２空調機を備え、前記第２空調機は、複数の前記第２空間に前記第１空調風とは異なる温度の第２空調風を供給するようにしてもよい。上記構成によれば、第１空間と第２空間との温度差が小さいながらも、第２空間の温度を第２空調風で調整することができる。
【００１４】
上記空調換気システムにおいて、前記各第２空間は、床面と前記天井部との間の壁面に前記第２空調風の風量調整可能な吹出グリルを備えているようにしてもよい。上記構成によれば、吹出口で第２空調風の風量調整を容易に行うことができる。これにより、第２空間の温度調整を行うことができる。
【発明の効果】
【００１５】
本発明によれば、天井裏空間での結露の発生を抑えることができる。
【図面の簡単な説明】
【００１６】
【図１】商業店舗の構成を模式的に示す平面図。
【図２】空調換気システムの構成を模式的に示す断面図。
【図３】各個室空間から天井裏空間へ室内空気を排気する構造を示す図。
【発明を実施するための形態】
【００１７】
以下、本発明が適用された空調換気システムが適用された商業店舗を説明する。
図１および図２に示すように、空調換気システムが適用される商業店舗１は、客個人に対して個室を提供する店舗である。商業店舗１は、例えば建物のフロアの空間が室内空間２と天井裏空間３とに天井部４で区画されている。天井部４は、吊り天井の構造などで構成されている。天井裏空間３は、空調換気設備などが設置される。室内空間２は、受付、廊下、飲食スペースなどの第１空間としての共用部空間５と、個人または少人数の者に対してプライベート空間を提供する第２空間としての個室空間６とを備えている。個室空間６は、共用部空間５に面して複数設けられており、各個室空間６は、共用部空間５に対して狭い防音空間となっている。
【００１８】
個室空間６は、例えば１．９ｍ２〜５ｍ２程度の定員が１名〜４名程度の狭小空間である。または、個室空間６は、隣接する共用部空間５や個室空間６と防音機能に優れた壁部７で区画されており、共用部空間５に面した扉８を通じて入退室が可能である。個室空間６は、パーソナルコンピュータ（ＰＣ）、ＴＶモニタ、机、椅子、ソファなどの家電製品や家具が配置され、入室した客は、ホームページやＴＶ番組、映画などを視聴することができる。そして、個室空間６は、防音室として構成されていることで、共用部空間５や隣接する個室空間６に音が漏れることが防がれている。
【００１９】
以上のような商業店舗１における空調換気システム１０は、給気ダクト１１と、第１空調機１２と、第１排気ファン１３と、第２排気ファン１４とを備えている。給気ダクト１１は、天井裏空間３に設置されており、屋外の外部空間９と共用部空間５とを接続する。具体的には、給気ダクト１１は、商業店舗１の外壁に設けられた吸気口１１ａと共用部空間５の天井部４の吹出口１１ｂとを接続する。給気ダクト１１は、一例としてアルミフレキシブルダクトである。給気ダクト１１には、外部空間９の騒音などが室内空間２に入らないようにするため消音ダクトを使用することもできる。また、吸気口１１ａには、ベントキャップなどが設置されている。また、吸気口１１ａには、給気ファン１５が設置されており、外気を給気ダクト１１に吸い込む。給気ファン１５は、一例として、ダクト用換気扇である。吹出口１１ｂからは、外気が共用部空間５に給気されることになる。例えば、夏季であれば、高温多湿な外気が外部空間９から室内空間２に供給される。また、冬季であれば、温度が低く低湿度の外気が外部空間９から室内空間２に供給される。そこで、吹出口１１ｂは、共用部空間５の中でも人通りの少ない場所に設けることで、外気の吹き出しを室内に居る人に分かりにくくすることができる。
【００２０】
第１空調機１２は、例えば天井埋め込み型の空調機であって、共用部空間５の天井部４に設置されている。第１空調機１２は、室内空間２に臨むように、吸込口と吹出口とを備えている。第１空調機１２は、共用部空間５の室内空気を吸込口から吸い込んで、空調風を吹出口から共用部空間５に吹き出す。第１空調機１２は、設定温度（第１温度）の第１空調風を吹き出す。第１空調機１２は、主として共用部空間５の空調を整えるために使用される。第１空調機１２からは、第１冷媒管１２ａが延出しており、屋外に設置されている室外機とを接続するように天井裏空間３に延在されている。
【００２１】
共用部空間５と各個室空間６とは、共用部空間５と各個室空間６とを仕切る壁部７の近傍において、接続ダクト１６で接続されている。共用部空間５の壁部７の近傍には、吸込口１６ａが設置され、各個室空間６の壁部７の近傍には、吹出口１６ｂが設置され、接続ダクト１６は、吸込口１６ａと吹出口１６ｂとの間を接続する。吸込口１６ａおよび吹出口１６ｂには、給排気グリルが設置されている。接続ダクト１６は、一例として、消音ダクトであって、アルミフレキシブルダクトで構成されている。そして、例えば内面に、例えばグラスウールなどの消音材が設けられている。さらに、接続ダクト１６は、天井裏空間３において、一巻き以上（ここでは一巻き）巻かれた状態で設置されている。これにより、接続ダクト１６は、その内面が軸線方向に湾曲した面となり、繰り返し音が反射されることで、音の減衰効果が高められている。したがって、共用部空間５の音が個室空間６に伝わりにくくなり、また、個室空間６の音が共用部空間５に漏れにくくなる。
【００２２】
図３に示すように、第１排気ファン１３は、個室空間６の室内空気を天井裏空間３に排気する。すなわち、共用部空間５の室内空気は、接続ダクト１６を通じて個室空間６に供給され、さらに、第１排気ファン１３によって、天井裏空間３に排気されることになる。個室空間６の天井部４には、吸込口１７ａが設けられ、吸込口１７ａには、給排気グリルが設置されている。吸込口１７ａには、天井裏空間３に設置される排気ダクト１７の一端部が接続されている。
【００２３】
排気ダクト１７は、消音ダクトであって、例えばアルミフレキシブルダクトである。排気ダクト１７は、長いほど消音効果が高くなるものであり、必要とする消音効果および天井裏空間３のスペースに応じてその長さが設定され、ここでは１ｍ程度の長さを有している。排気ダクト１７の他端部は、開放端部であり、ここに、第１排気ファン１３が設置されている。第１排気ファン１３は、例えばシロッコファンである。第１排気ファン１３は、固定手段を介して天井部４、柱、梁などに固定されている。排気ダクト１７は、個室空間６の音を天井裏空間３に漏れにくくし、また、第１排気ファン１３の音を個室空間６に伝わりにくくする。天井裏空間３は、各個室空間６からの室内空気が排気されるチャンバーとして機能することになる。第１排気ファン１３の排気方向は、排気ダクト１７を曲げることで適宜調整可能である。例えば、第１排気ファン１３の排気方向は、第１空調機１２の第１冷媒管１２ａおよび第２空調機２１の第２冷媒管２１ａに向けてもよいし、ランダムな方向を向いていてもよい。また、空調ダクト２２に向いていてもよい。
【００２４】
第２排気ファン１４は、天井裏空間３の天井裏空気を外部空間９に排気する。商業店舗１の外壁には、排気口１４ａが設けられ、排気口１４ａには、ベントキャップなどが設置されている。また、排気口１４ａには、第２排気ファン１４が設置されており、天井裏空気を外部空間９に排気する。第２排気ファン１４は、一例として、ダクト用換気扇である。第２排気ファン１４は、天井裏空間３に１カ所設けられているだけでもよいし、複数を天井裏空間３に分散して設けるようにしてもよい。第２排気ファン１４を設ける位置や数は、天井裏空間３の広さや天井裏の設備や柱や梁の配置などによって決められる。
【００２５】
さらに、空調換気システム１０は、第２空調機２１と、空調ダクト２２とを備えている。第２空調機２１は、天井埋め込み型であって、吸込口が室内空間２に臨み、吹出口が天井裏空間３に臨み、空調ダクト２２の一端部が接続されている。空調ダクト２２は、天井裏空間３に設置されており、他端部が複数の個室空間６の吹出口２２ａに接続されている。空調ダクト２２は、一例としてアルミフレキシブルダクトである。また、消音ダクトであってもよい。このように、第２空調機２１は、主として複数の個室空間６に第２空調風を供給する第２空調機である。
【００２６】
第２空調機２１は、複数の個室空間６に対して１台が割り当てられている。したがって、１台の空調機２１に接続される空調ダクト２２は、分岐しており、その空調機２１が受け持つ複数の個室空間６のそれぞれが備える吹出口２２ａと接続される。そして、第２空調機２１からも、第２冷媒管２１ａが延出しており、屋外に設置されている室外機とを接続するように天井裏空間３に延在されている。第２空調機２１は、第１空調機１２の第１空調風とは異なる第２温度の第２空調風を吹き出す。例えば、冷房時は、共用部空間５の室内空気を吸い込んで、第１空調機１２の設定温度（第１温度）よりも低い設定温度（第２温度）の第２空調風を吹き出す。また、暖房時は、第１空調機１２の設定温度（第１温度）よりも高い設定温度（第２温度）の第２空調風を吹き出す。
【００２７】
吹出口２２ａは、各個室空間６の天井部４に設けられているのではなく、床面と天井部４との間の壁面２２ｂであって、客の手の届く高さに設けられている。吹出口２２ａには、吹出グリル２２ｃが設置されている。吹出グリル２２ｃは、風量調整機能を備えている。例えば、吹出グリル２２ｃは、吹出口２２ａの開口量を手動で調整可能なシャッタを備えている。個室空間６の客は、シャッタの開閉操作を行うことによって吹出口２２ａの開口量を調整する。これにより、吹出口２２ａから吹き出す第２温度の第２空調風の風量が調整され、個室空間６の室温調整が行われる。
【００２８】
さらに、空調換気システム１０は、共用部空間５の天井部４には、吸込口２３ａが設けられ、吸込口２３ａには、給排気グリルが設置されている。吸込口２３ａは、天井裏空間３に設置される排気ダクト２３の一端部が接続されている。排気ダクト２３は、一例としてアルミフレキシブルダクトである。また、排気ダクト２３は、消音ダクトであってもよい。排気ダクト２３は、他端部が商業店舗１の外壁に設けられた排気口２３ｂに接続されている。排気口２３ｂには、ベントキャップなどが設置されている。また、排気口２３ｂには、第３排気ファン２４が設置されており、天井裏空気を外部空間９に排気する。
【００２９】
第３排気ファン２４は、一例として、ダクト用換気扇である。吸込口２３ａは、共用部空間５として、受付、廊下、飲食スペースに設けられていてもよいし、トイレや喫煙所などであってもよい。トイレや喫煙所などは、排気ダクト２３を通じて外部空間９に排気するようにして、天井裏空間３の天井裏空気に混じらないようにし、臭気などが共用部空間５および個室空間６に漏れないようにしている。なお、吸込口２３ａと排気口２３ｂとが離れているときには、吸込口２３ａにもダクト用換気扇を設置し、室内空気を吸い込み易くしてもよい。
【００３０】
次に、以上のように構成された空調換気システム１０の作用について冷房時を例に説明する。
給気ファン１５は、外部空間９から外気を取り込み、外気を給気ダクト１１を通じて共用部空間５に供給する（矢印Ａ参照）。共用部空間５では、第１空調機１２が室内空気を吸込口から吸い込んで（矢印Ｂ１参照）、第１温度の第１空調風を吹出口から吹き出す（矢印Ｃ参照）。各個室空間６の第１排気ファン１３が動作していることで、共用部空間５における第１温度の室内空気は、接続ダクト１６を通じて各個室空間６に供給される（矢印Ｄ参照）。接続ダクト１６は、共用部空間５と個室空間６とを連通させる通路となるが、巻かれた状態で設置されているので、共用部空間５の音が個室空間６に伝わりにくくなり、また、個室空間６の音が共用部空間５に漏れにくくなる。
【００３１】
各個室空間６は、共用部空間５の室内空気を吸い込んだ第２空調機２１（矢印Ｂ２参照）から第１温度より低い第２温度の第２空調風が吹出口２２ａから供給される（矢印Ｅ参照）。第２温度の第２空調風は、吹出グリル２２ｃで風量調整がされ、個室空間６の室温が調整される。各個室空間６には、共用部空間５からの第１温度の室内空気が供給されている。したがって、共用部空間５と各個室空間６との間の温度差は小さいものとなる。各個室空間６の室内空気は、第１排気ファン１３が動作していることで、吸込口１７ａから排気ダクト１７を通じて天井裏空間３に排気される（矢印Ｆ参照）。天井裏空間３には、各個室空間６の室内空気が至る所から排気されることになる。
【００３２】
そして、天井裏空間３の天井裏空気は、第２排気ファン１４から外部空間９に排気される（矢印Ｇ参照）。これにより、天井裏空間３は、共用部空間５および個室空間６との温度差が小さくなり、また、冷房の場合には、除湿された個室空間６の室内空気が天井裏空間３に供給される。したがって、第１空調機１２の第１冷媒管１２ａおよび第２空調機２１の第２冷媒管２１ａにおける結露の発生を抑えることができる。
【００３３】
また、トイレや喫煙所などの室内空気は、排気ダクト２３を通じて外部空間９に排気され（矢印Ｈ参照）、天井裏空間３の天井裏空気に混じらないようにされている。これにより、共用部空間５および個室空間６に臭気などが漏れないようにされている。
【００３４】
以上のような空調換気システム１０は、以下のように列挙する効果を得ることができる。
（１）個室空間６の室内空気は、第１排気ファン１３が動作していることで、天井裏空間３に排気される。そして、天井裏空間３の天井裏空気は、第２排気ファン１４から外部空間９に排気される。これにより、天井裏空間３の換気効率が高められ、さらに、天井裏空間３と室内空間２を構成する共用部空間５および個室空間６との温度や湿度の環境が近づくことで、第１空調機１２の第１冷媒管１２ａおよび第２空調機２１の第２冷媒管２１ａにおける結露の発生を抑えることができる。
【００３５】
（２）個室空間６の室内空気を排気する第１排気ファン１３は、消音ダクトである排気ダクト１７の端部に設けられている。したがって、第１排気ファン１３の動作音が個室空間６に伝わりにくくなる。これにより、第１排気ファン１３には、より換気性能の高いファンを使用することができる。これにより、天井裏空間３の換気効率も高まり、より第１冷媒管１２ａおよび第２冷媒管２１ａの結露を発生しにくくできる。
【００３６】
（３）第１排気ファン１３により換気性能の高いファンを使用することができるので、個室空間６の換気効率を高めることができる。一例として、個室空間６の換気回数は、一般的に０．５回〜１．２回／時間程度であるところ、第１排気ファン１３により換気性能の高いファンを使用できるので、１０回／時間程度にまで増やすことができる。
【００３７】
（４）共用部空間５の室内空気は、接続ダクト１６を通じて個室空間６に供給される。したがって、共用部空間５と個室空間６との温度差を小さくすることができる。
（５）共用部空間５と個室空間６とを連通させる接続ダクト１６は、巻かれた状態で設置されているので、共用部空間５の音が個室空間６に伝わりにくくなり、また、個室空間６の音が共用部空間５に漏れにくくなる。
【００３８】
（６）個室空間６は、第１空調機１２と別系統の第２空調機２１からの第２温度の第２空調風を吹出グリル２２ｃで風量調整することで、室温調整することができる。各個室空間６の空調は、各個室空間６に空調機を設置し、個室空間６の温度調整を客が行うことも可能である。この場合、個室空間６は、狭小の空間であるため、各個室空間６に設置された空調機の性能が個室空間６の広さに対して過剰性能となってしまうおそれがある。例えば、冷房の場合には、冷房が効き過ぎてしまう。そこで、ここでは、第２空調機２１からの第２温度の空調風を複数の個室空間６に供給するようにして、個室空間６において吹出グリル２２ｃで風量調整を行うようにすることで、各個室空間６の室温調整を容易に行うようにしている。
【００３９】
（７）吹出グリル２２ｃは、壁面２２ｂに設けられている。したがって、客は吹出グリル２２ｃの風量調整を容易に行うことができる。そして、吹出グリル２２ｃを客の手の届く高さに設けたときには、一層風量調整作業が容易なものとなる。
【００４０】
なお、以上のような空調換気システム１０は、さらに、以下のように適宜変更して実施することもできる。
・吹出グリル２２ｃは、壁面２２ｂであっても、客の手の届きにくい高い場所や天井部に設けられていてもよい。このような場合、風量調整をするシャッタの開閉は、手動で行うものであってもよいが、シャッタを電動で開閉可能とし、遠隔操作装置で遠隔操作する構成とすることが好ましい。
【００４１】
・第２空調機２１は省略する構成としてもよい。この場合、空調ダクト２２も省略されることになり、天井裏空間３における障害物が少なくなる。したがって、天井裏空間３において、天井裏空気が流れ易くなる。また、第２空調機２１は省略する場合においては、個室空間６に１台ずつ空調機を設置することも可能である。例えば、個室空間６が６畳程度またはそれ以上の広さを有しているときには、部屋毎に空調機を設置してもよい。
【００４２】
・接続ダクト１６は、消音ダクトの性能が十分な場合、巻かない状態で天井裏空間３に設置してもよい。また、接続ダクト１６は、消音ダクトを使用しなくてもよい。さらに、接続ダクト１６は、フレキシブルダクトで構成しなくてもよい。さらに、接続ダクト１６は、天井裏空間３に設置されていなくてもよい。
【００４３】
・商業店舗１の構成としては、室内空間２と天井裏空間３とに区画されていれば、共用部空間５と個室空間６とに区画されていなくてもよい。この場合、第２空調機２１および空調ダクト２２は省略され、天井裏空間３における障害物が少なくなり、天井裏空気が流れ易くなる。
【００４４】
・第１排気ファン１３は、排気ダクト１７に設けるのではなく、天井部４の吸込口１７ａに設けるようにしてもよい。個室空間６を防音室などにする場合は、排気ダクト１７に第１排気ファン１３を設けることが好ましいが、防音室ではない通常の空間である場合は、第１排気ファン１３を天井部４の吸込口１７ａに設けるようにしてもよい。この場合は、排気ダクト１７が省略されることで、天井裏空間３における障害物が少なくなり、天井裏空気が流れ易くなる。また、排気ダクト１７は、フレキシブルダクトで構成しなくてもよい。
【００４５】
・第１排気ファン１３は、シロッコファン以外であって、例えばプロペラファンであってもよい。また、給気ファン１５および第２排気ファン１４の種類も特に限定されるものではなく、シロッコファンやプロペラファンなどであってもよい。
【００４６】
・個室空間６が喫煙可能な部屋である場合は、当該部屋の換気は、第１排気ファン１３を用いず、排気ダクト２３および第３排気ファン２４を用いて行うようにしてもよい。煙草の副流煙が天井裏空気に混じることを防ぐことができる。
【００４７】
・共用部空間５でも、第１排気ファン１３を用いて換気するようにしてもよい。共用部空間５は、防音の必要性も少ないことから、第１排気ファン１３を天井部４の吸込口１７ａに設けるようにしてもよい。また、個室空間６の場合と同様に、第１排気ファン１３を排気ダクト１７に設けてもよい。
【００４８】
・第１空間としての共用部空間５と第２空間としての個室空間６との関係は上述の例に限定されるものではない。例えば、第２空間が第１空間よりも狭ければ、個室空間６は、個室でなくてもよい。
【００４９】
・商業店舗１には、広さにもよるが、複数台の空調機が設置されることが多い。例えば、共用部空間５が広ければ第１空調機１２の数も増え、また、個室空間６の多いときには第２空調機２１も増える。第１空調機１２の室外機や第２空調機２１の室外機は、屋外の様々な場所に分散して設置されるのではなく、複数台をまとめて設置することが多い。そうすると、天井裏空間３において、室外機の近くでは、複数本の第１冷媒管１２ａや第２冷媒管２１ａが集まることになり、このような場所では、大量の結露が発生し易くなる。したがって、排気ダクト１７を曲げて第１排気ファン１３の排気方向を冷媒管が集まった場所に向けることで、このような場所でも結露を発生しにくくできる。
【００５０】
・冷房時には、空調ダクト２２の部分でも結露が発生し易くなる可能性がある。したがって、第１冷媒管１２ａおよび第２冷媒管２１ａだけでなく、空調ダクト２２にも、第１排気ファン１３からの排気を当てるようにし、結露の発生を抑えるようにしてもよい。
【００５１】
・第１空調機１２は、天井埋め込み型に限定されるものではなく、共用部空間５の壁沿いなどに設置されるものであってもよい。第２空調機２１も、同様に、共用部空間５の壁沿いなどに設置されるものであってもよい。このような場合も、空調機１２，２１延びる冷媒管１２ａ，２１ａは、天井裏空間３に延在され、屋外に設置されている室外機に接続されることになる。
【符号の説明】
【００５２】
１…商業店舗、２…室内空間、３…天井裏空間、４…天井部、５…共用部空間、６…個室空間、７…壁部、８…扉、９…外部空間、１０…空調換気システム、１１…給気ダクト、１１ａ…吸気口、１１ｂ…吹出口、１２…第１空調機、１２ａ…第１冷媒管、１３…第１排気ファン、１４…第２排気ファン、１４ａ…排気口、１５…給気ファン、１６…接続ダクト、１６ａ…吸込口、１６ｂ…吹出口、１７…排気ダクト、１７ａ…吸込口、２１…第２空調機、２１ａ…第２冷媒管、２２…空調ダクト、２２ａ…吹出口、２２ｂ…壁面、２２ｃ…吹出グリル、２３…排気ダクト、２３ａ…吸込口、２３ｂ…排気口、２４…第３排気ファン。
【図１】
2020134015.tif 000003
【図２】
2020134015.tif 000004
【図３】
2020134015.tif 000005
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
室内空間と天井裏空間とが天井部を介して区画された空間の空調換気システムにおいて、
前記天井裏空間に設置された給気ダクトであって、外部空間から取り込んだ外気を前記室内空間に供給する前記給気ダクトと、
冷媒管が前記天井裏空間に延在された空調機であって、前記室内空間に対して空調風を供給する前記空調機と、
前記室内空間の室内空気を前記天井裏空間に排気する第１排気ファンと、
前記天井裏空間の天井裏空気を前記外部空間に排気する第２排気ファンと
を備え、
前記室内空間は、壁部によって、第１空間と、前記第１空間よりも狭い複数の第２空間とに区画されており、
前記第１空間と前記各第２空間とは、接続ダクトによって連通しており、
前記給気ダクトは、前記第１空間に対して前記外気を供給し、
前記空調機は、前記第１空間に対して前記空調風を供給し、
前記第１排気ファンは、前記各第２空間の室内空気を前記天井裏空間に排気する
空調換気システム。
【請求項２】
前記第１排気ファンが設置される排気ダクトを備え、
前記排気ダクトは、消音ダクトであって、前記天井裏空間に設置されるとともに、一端部が前記室内空間に臨む吸込口に接続され、かつ、前記他端部に前記第１排気ファンが設置されている
請求項１に記載の空調換気システム。
【請求項３】
前記接続ダクトは、前記天井裏空間において、一巻き以上巻かれた状態で設置されている
請求項１または２に記載の空調換気システム。
【請求項４】
前記空調機は、前記第１空間に前記空調風として第１空調風を供給する第１空調機であって、
前記空調換気システムは、さらに第２空調機を備え、
前記第２空調機は、複数の前記第２空間に前記第１空調風とは異なる温度の第２空調風を供給する
請求項１ないし３のうち何れか１項に記載の空調換気システム。
【請求項５】
前記各第２空間は、床面と前記天井部との間の壁面に前記第２空調風の風量調整可能な吹出グリルを備えている
請求項４に記載の空調換気システム。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
室内空間と天井裏空間とが天井部を介して区画された空間の空調換気システムにおいて、
前記天井裏空間に設置された給気ダクトであって、外部空間から取り込んだ外気を前記室内空間に供給する前記給気ダクトと、
冷媒管が前記天井裏空間に延在された空調機であって、前記室内空間に対して空調風を供給する前記空調機と、
前記室内空間の室内空気を前記天井裏空間に排気する第１排気ファンと、
前記天井裏空間の天井裏空気を前記外部空間に排気する第２排気ファンと
を備え、
前記室内空間は、壁部によって、第１空間と、前記第１空間よりも狭い複数の第２空間とに区画されており、
前記第１空間と前記各第２空間とは、接続ダクトによって連通しており、
前記接続ダクトは、前記天井裏空間において、一巻き以上巻かれた状態で設置されており、
前記給気ダクトは、前記第１空間に対して前記外気を供給し、
前記空調機は、前記第１空間に対して前記空調風を供給し、
前記第１排気ファンは、前記各第２空間の室内空気を前記天井裏空間に排気する
空調換気システム。
【請求項２】
前記第１排気ファンが設置される排気ダクトを備え、
前記排気ダクトは、消音ダクトであって、前記天井裏空間に設置されるとともに、一端部が前記室内空間に臨む吸込口に接続され、かつ、前記他端部に前記第１排気ファンが設置されている
請求項１に記載の空調換気システム。
【請求項３】
前記空調機は、前記第１空間に前記空調風として第１空調風を供給する第１空調機であって、
前記空調換気システムは、さらに第２空調機を備え、
前記第２空調機は、複数の前記第２空間に前記第１空調風とは異なる温度の第２空調風
を供給する
請求項１または２に記載の空調換気システム。
【請求項４】
前記各第２空間は、床面と前記天井部との間の壁面に前記第２空調風の風量調整可能な吹出グリルを備えている
請求項３に記載の空調換気システム。